(57)【要約】【課題】ユーザーの説明作業を極力妨げることなく、描画モードとＰＣモードとを切り替える装置を提供すること。【解決手段】画面を表示面に表示する投写部２０と、表示面に対する操作を行う第１指示体７を撮像して撮像情報を生成する撮像部１５と、撮像情報に基づいて第１指示体７の表示面における位置情報を抽出する位置情報抽出部５３と、撮像情報に基づいて第１指示体７の動きを表す情報である動的情報を抽出する動的情報抽出部５５と、位置情報を用いて描画処理を行う描画処理部６１と、位置情報を外部装置へ送信する送信処理部６３と、第１指示体７の動的情報に第１パターンが含まれるか否か判定し、含まれると判定した場合には、描画処理部６１の機能が実現される第１モードから、送信処理部６３の機能が実現される第２モードへ切り替える切替え制御部５７と、を備えることを特徴とする。【選択図】図２
2017139515.tif 000002
【特許請求の範囲】
【請求項１】
画面を表示面に表示する投写部と、
前記表示面に対する操作を行う第１指示体を撮像して撮像情報を生成する撮像部と、
前記撮像情報に基づいて前記第１指示体の前記表示面における位置情報を抽出する位置情報抽出部と、
前記撮像情報に基づいて、前記第１指示体の動きを表す情報である前記第１指示体の動的情報を抽出する動的情報抽出部と、
前記位置情報を用いて描画処理を行う描画処理部と、
前記位置情報を外部装置へ送信する送信処理部と、
前記第１指示体の前記動的情報に第１パターンが含まれるか否か判定し、含まれると判定した場合には、前記位置情報が前記描画処理部での前記描画処理に用いられる第１モードから、前記位置情報が前記送信処理部によって前記外部装置へ送信される第２モードへ切り替える切替え制御部と、
を備えることを特徴とする表示装置。
【請求項２】
前記切替え制御部は、前記第１指示体の前記動的情報に前記第１パターンとは異なる第２パターンが含まれるか否か判定し、含まれると判定した場合には、前記第２モードから前記第１モードへ切り替えることを特徴とする請求項１に記載の表示装置。
【請求項３】
前記切替え制御部は、前記第１指示体の前記動的情報に前記第１パターンが含まれるか否か判定し、含まれると判定した場合には、前記第２モードから前記第１モードへ切り替えることを特徴とする請求項１または請求項２に記載の表示装置。
【請求項４】
前記位置情報抽出部は、前記第１指示体が前記表示面と所定距離以下になった場合の前記表示面上の位置および前記表示面と前記第１指示体との距離を前記位置情報として抽出することを特徴とする請求項１から請求項３のいずれか一項に記載の表示装置。
【請求項５】
前記動的情報抽出部は、前記位置情報抽出部により時系列に抽出された複数の前記位置情報に基づいて、前記第１指示体の移動量、移動速度、および移動軌跡のうち少なくとも１つを含む前記動的情報を抽出することを特徴とする請求項１から請求項４のいずれか一項に記載の表示装置。
【請求項６】
前記撮像部は、前記第１指示体と前記第１指示体と異なる第２指示体とを撮像して前記撮像情報を生成し、
前記動的情報抽出部は、前記撮像情報に基づいて、前記第２指示体の動きを表す情報である前記第２指示体の動的情報を抽出し、
前記切替え制御部は、前記第１指示体の前記動的情報に前記第１パターンが含まれると判定した場合であって、前記第２指示体の前記動的情報に第３パターンが含まれるか否か判定し、含まれると判定した場合は、前記第１モードと前記第２モードとを切り替えることを特徴とする請求項１から請求項５のいずれか一項に記載の表示装置。
【請求項７】
前記撮像部は、前記第１指示体と前記第１指示体と異なる第２指示体とを撮像して前記撮像情報を生成し、
前記動的情報抽出部は、前記撮像情報に基づいて、前記第２指示体の動きを表す情報である前記第２指示体の動的情報を抽出し、
前記切替え制御部は、前記第１指示体の前記動的情報に前記第１パターンまたは前記第２パターンが含まれると判定した場合であって、前記第２指示体の前記動的情報に第３パターンが含まれるか否か判定し、含まれると判定した場合は、前記第１モードと前記第２モードとを切り替えることを特徴とする請求項２に記載の表示装置。
【請求項８】
前記第１指示体および前記第２指示体は、単数または複数本の指、指示棒、またはペン型装置であることを特徴とする請求項６または請求項７に記載の表示装置。
【請求項９】
画面を表示面に表示する投写工程と、
前記表示面に対する操作を行う第１指示体を撮像して撮像情報を生成する撮像工程と、
前記撮像情報に基づいて前記第１指示体の前記表示面における位置情報を抽出する位置情報抽出工程と、
前記撮像情報に基づいて前記第１指示体の動きを表す情報である動的情報を抽出する動的情報抽出工程と、
前記第１指示体の前記動的情報に第１パターンが含まれるか否か判定し、含まれると判定した場合には、前記位置情報を用いて描画処理を行う第１モードから、前記位置情報を外部装置へ送信する第２モードへ切り替える切替え制御工程と、
を備えることを特徴とする表示制御方法。
【発明の詳細な説明】
【技術分野】
【０００１】
本発明は、表示装置および表示制御方法に関する。
【背景技術】
【０００２】
従来、例えば、特許文献１に記載されているように、ペン等の指示体を用いて、ユーザーの指示位置に画像を描画する描画モードと、ユーザーによる指示位置をＰＣ（Personal Computer）のポインティングデバイスとして利用するＰＣモードとを備えたプロジェクションシステムが開示されている。このシステムによれば、ユーザーは、プロジェクターにより投写された表示面において説明している最中に、描画モードでは指示体で描画を行うことができ、ＰＣモードに切り替えて同じ指示体でＰＣの操作を行うこともできる。
【先行技術文献】
【特許文献】
【０００３】
【特許文献１】特開２０１３−２４７４８６号公報
【発明の概要】
【発明が解決しようとする課題】
【０００４】
特許文献１に開示されたシステムにおいては、描画モードからＰＣモードへの切り替えは、投写された表示面にツールバーを表示して、ツールバーに配置されているモード切替えボタンを指示体で押下（タッチ）させる操作が必要であった。このような操作は、手順が煩雑であるとともに、指示体をツールバーの位置まで移動させなければならないため、ユーザーは説明の途中で度々説明を中断してモードを切り替える操作をしなければならなかった。特に、比較的大型（例えば、１００型スクリーン／横２１５ｃｍ×縦１３５ｃｍなど）のスクリーンを利用して投写している場合では、ツールバーが遠い位置に表示されてしまい、その位置まで指示体を移動させなければならないため、ユーザーの説明作業を妨げてしまっていた。
【課題を解決するための手段】
【０００５】
本発明は、上述の課題の少なくとも一部を解決するためになされたものであり、ユーザーの説明作業を極力妨げることがなく、描画モードからＰＣモードへ切り替えることができる装置を提供することを目的とする。
【０００６】
［適用例１］本適用例に係わる表示装置は、画面を表示面に表示する投写部と、前記表示面に対する操作を行う第１指示体を撮像して撮像情報を生成する撮像部と、前記撮像情報に基づいて前記第１指示体の前記表示面における位置情報を抽出する位置情報抽出部と、前記撮像情報に基づいて、前記第１指示体の動きを表す情報である前記第１指示体の動的情報を抽出する動的情報抽出部と、前記位置情報を用いて描画処理を行う描画処理部と、前記位置情報を外部装置へ送信する送信処理部と、前記第１指示体の前記動的情報に第１パターンが含まれるか否か判定し、含まれると判定した場合には、前記位置情報が前記描画処理部での前記描画処理に用いられる第１モードから、前記位置情報が前記送信処理部によって前記外部装置へ送信される第２モードへ切り替える切替え制御部と、を備えることを特徴とする。
【０００７】
本適用例によれば、切替え制御部は、第１指示体の動的情報に第１パターンが含まれている場合には、第１モードから第２モードへモードを切り替える。従来方法では、ツールバーを表示させ切替えボタンの位置まで第１指示体を移動させる必要があったが、本適用例では、第１指示体を切替えボタンの位置まで移動させることなくその場の動きでモードを切り替えることができる。
つまり、ユーザーが説明の途中であっても、描画処理の機能が実現される第１モード（描画モード）から、送信処理部の機能が実現される第２モード（ＰＣモード）へ第１指示体の動きを表す動的情報によって切り替えを可能としている。
従って、ユーザーの説明作業を極力妨げることがなく、描画モードからＰＣモードへ切り替えることができる。
【０００８】
［適用例２］上記適用例に記載の切替え制御部は、前記第１指示体の前記動的情報に前記第１パターンとは異なる第２パターンが含まれるか否か判定し、含まれると判定した場合には、前記第２モードから前記第１モードへ切り替えることを特徴とする。
【０００９】
本適用例によれば、第１指示体の動的情報に第２パターンを含めることにより、第２モード（ＰＣモード）から第１モード（描画モード）へ確実に切り替えることができる。
【００１０】
［適用例３］上記適用例に記載の切替え制御部は、前記第１指示体の前記動的情報に前記第１パターンが含まれるか否か判定し、含まれると判定した場合には、前記第２モードから前記第１モードへ切り替えることを特徴とする。
【００１１】
本適用例によれば、第１指示体の動的情報に第１パターンが含まれている場合に、描画モードとＰＣモードとを双方向に切り替えることができる。ユーザーは、第１パターンのみでモードを切り替えることができる。
【００１２】
［適用例４］上記適用例に記載の位置情報抽出部は、前記第１指示体が前記表示面と所定距離以下になった場合の前記表示面上の位置および前記表示面と前記第１指示体との距離を前記位置情報として抽出することを特徴とする。
【００１３】
本適用例によれば、第１指示体が表示面と所定距離以下になり、表示面に接近した部分の位置とその距離を抽出することができる。
【００１４】
［適用例５］上記適用例に記載の動的情報抽出部は、前記位置情報抽出部により時系列に抽出された複数の前記位置情報に基づいて、前記第１指示体の移動量、移動速度、および移動軌跡のうち少なくとも１つを含む前記動的情報を抽出することを特徴とする。
【００１５】
本適用例によれば、第１指示体の動きに係わる動的情報を抽出することができる。
【００１６】
［適用例６］上記適用例に記載の撮像部は、前記第１指示体と前記第１指示体と異なる第２指示体とを撮像して前記撮像情報を生成し、前記動的情報抽出部は、前記撮像情報に基づいて、前記第２指示体の動きを表す情報である前記第２指示体の動的情報を抽出し、前記切替え制御部は、前記第１指示体の前記動的情報に前記第１パターンが含まれると判定した場合であって、前記第２指示体の前記動的情報に第３パターンが含まれるか否か判定し、含まれると判定した場合は、前記第１モードと前記第２モードとを切り替えることを特徴とする。
【００１７】
本適用例によれば、第１指示体の動的情報と第２指示体の動的情報との組み合わせにより、描画モードとＰＣモードとを切り替える。このため、第１指示体の動的情報だけで切り替える場合と比べて、切り替えの動作をより高い確度で識別することができる。
【００１８】
［適用例７］上記適用例に記載の撮像部は、前記第１指示体と前記第１指示体と異なる第２指示体とを撮像して前記撮像情報を生成し、前記動的情報抽出部は、前記撮像情報に基づいて、前記第２指示体の動きを表す情報である前記第２指示体の動的情報を抽出し、前記切替え制御部は、前記第１指示体の前記動的情報に前記第１パターンまたは前記第２パターンが含まれると判定した場合であって、前記第２指示体の前記動的情報に第３パターンが含まれるか否か判定し、含まれると判定した場合は、前記第１モードと前記第２モードとを切り替えることを特徴とする。
【００１９】
本適用例によれば、第１指示体の動的情報と第２指示体の動的情報との組み合わせにより、描画モードとＰＣモードとを切り替える。また、第１指示体の動的情報として多様なパターンを判定する。このため、第１指示体の動的情報だけで切り替える場合と比べて、切り替えの動作をより高い確度で識別することができる。更に、第１指示体の多様な動きにより切り替えを可能とする。
【００２０】
［適用例８］上記適用例に記載の第１指示体および前記第２指示体は、単数または複数本の指、指示棒、またはペン型装置であることを特徴とする。
【００２１】
本適用例によれば、多種多様な指示体の動きにより描画モードとＰＣモードとを切り替えることができる。
【００２２】
［適用例９］本適用例に係わる表示制御方法は、画面を表示面に表示する投写工程と、前記表示面に対する操作を行う第１指示体を撮像して撮像情報を生成する撮像工程と、前記撮像情報に基づいて前記第１指示体の前記表示面における位置情報を抽出する位置情報抽出工程と、前記撮像情報に基づいて前記第１指示体の動きを表す情報である動的情報を抽出する動的情報抽出工程と、前記第１指示体の前記動的情報に第１パターンが含まれるか否か判定し、含まれると判定した場合には、前記位置情報を用いて描画処理を行う第１モードから、前記位置情報を外部装置へ送信する第２モードへ切り替える切替え制御工程と、を備えることを特徴とする。
【００２３】
本適用例によれば、切替え制御工程は、第１指示体の動的情報に第１パターンが含まれている場合には、第１モードから第２モードへモードを切り替える。従来方法では、ツールバーを表示させ切替えボタンの位置まで第１指示体を移動させる必要があったが、本適用例では、第１指示体を切替えボタンの位置まで移動させることなくその場の動きでモードを切り替えることができる。
つまり、ユーザーが説明の途中であっても、描画処理の機能が実現される第１モード（描画モード）から、送信処理部の機能が実現される第２モード（ＰＣモード）へ第１指示体の動きを表す動的情報によって切り替えを可能としている。
従って、ユーザーの説明作業を極力妨げることがなく、描画モードからＰＣモードへ切り替えることができる。
【図面の簡単な説明】
【００２４】
【図１】表示システムの概要を説明する図。
【図２】表示システムの概略構成を表すブロック図。
【図３Ａ】指示体の動きのパターンを例示する図。
【図３Ｂ】指示体の動きのパターンを例示する図。
【図３Ｃ】指示体の動きのパターンを例示する図。
【図４】投写切り替え処理の流れを示すフローチャート図。
【発明を実施するための形態】
【００２５】
以下、本発明の実施形態について、図面を参照して説明する。なお、以下の各図においては、各部や各画面を認識可能な程度の大きさにするため、各部や各画面の尺度を実際とは異ならせしめている。
【００２６】
（実施形態１）
（表示システムの概要）
図１は、表示システムの概要を説明する図である。
表示システム１は、表示装置としてのプロジェクター３、外部装置としてのＰＣ（Personal Computer）５、指示体７、指示体９などにより構成されている。プロジェクター３とＰＣ５とは、通信６を介して双方向に通信可能に接続されている。ＰＣ５は、ＬＣＤ（Liquid Crystal Display）などの表示部とマウスやキーボードなどの操作部を備える一般的なＰＣである。
プロジェクター３は、撮像部１５を備え、スクリーンＳＣに近接した第１指示体としての指示体７および第２指示体としての指示体９を撮像している。例えば、指示体７は、ペン型をした１０ｃｍ程度の長さの指示棒であり、ユーザーＵの一方の手（図１では右手）に把持されている。また、例えば、指示体９は、ユーザーＵの他方の手（図１では左手）の指先である。
【００２７】
プロジェクター３は本体内に描画機能を有し、指示体７または指示体９が示した位置に描画映像を投写する。具体的には、指示体７または指示体９のどちらかが、撮像範囲（スクリーンＳＣから、例えば、５ｍｍ程度の近接範囲）に入ると、指示体７，９のスクリーンＳＣ側に最接近した部位の位置に点や線などが描画（描画映像が投写）される。
【００２８】
プロジェクター３は、描画機能と切り替えて使用されるＰＣ操作機能を備えている。ＰＣ操作機能では、例えば、指示体７または指示体９のどちらかが撮像範囲に入ると、指示体７，９のスクリーンＳＣ側に最接近した部位の位置をＰＣのポインティングデバイス（マウスなど）の位置情報として使用される。つまり、スクリーンＳＣには、スクリーンＳＣ上において指示体７，９が動かされた位置にマウスカーソルが移動して表示される。
【００２９】
プロジェクター３では、上述した描画機能を実現する内部状態（以降、描画モードと呼称）と、ＰＣ操作機能を実現する内部状態（以降、ＰＣモードと呼称）との２つの内部状態を管理し、それらの切り替えを制御している。プロジェクター３は、指示体７および指示体９の両者の動きのパターンを組み合わせで識別して、描画モードとＰＣモードとを切り替える。動きのパターンの組み合わせは、例えば、指示体９を軽くスクリーンＳＣに接触させ、その間に指示体７（ペン先）を左から右方向へスライドさせる、といった容易で自然な動きである。
なお、描画モードは、第１モードに相当し、ＰＣモードは、第２モードに相当する。
【００３０】
ユーザーＵは、スクリーンＳＣに投写される映像を用いて説明しながら、任意のタイミングで描画モードとＰＣモードとの切り替えを行う。指示体７および指示体９といった複数の指示体の動きのパターンを組み合わせることにより、それぞれの指示体の動きのパターンを容易にして、組み合わせることにより切り替えの動作を高い確度で識別することができる。
このようにして、ユーザーＵは説明の最中であっても、指示体７および指示体９を用いた容易で自然な動きにより、描画モードとＰＣモードと切り替えることができる。
以降、このような効果を得ることができる表示システム１の詳細について説明する。
【００３１】
図２は、表示システムの概略構成を表すブロック図である。
表示システム１は、上述したようにプロジェクター３、ＰＣ５、指示体７、および指示体９などを備えて構成されている。
【００３２】
プロジェクター３は、操作部１１、計時部１３、撮像部１５、投写部２０、映像処理部３１、通信部３３、記憶部４０、および制御部５０などを備えて構成されている。
【００３３】
操作部１１は、プロジェクター３を操作するための複数のボタンを備えている。操作されたボタンに応じて制御部５０が各部を制御することにより、スクリーンＳＣに投写される映像の調整や、プロジェクター３が有する各種機能の設定などが行われる。また、操作部１１は、制御部５０により生成された画面上に配置されるボタンウィジェット、リモコン（図示は省略）などに配置されるボタンなどの各種ボタンを備え、各種ボタンが操作されることにより発生する操作信号を制御部５０へ出力する。
【００３４】
計時部１３は、リアルタイムクロックであり、制御部５０および撮像部１５などへのクロック発生、タイマー機能、カレンダー機能、時計機能などの計時機能を有している。計時部１３が計時している日時、時間などの計時データは、制御部５０により読み出される。また、撮像部１５では、計時部１３から発振したクロックに基づいて撮像素子のサンプリング周期を生成している。
【００３５】
撮像部１５は、２つの撮像部１５Ａおよび撮像部１５Ｂなどを有し、指示体７，９の位置および指示体７，９からスクリーンＳＣまでの距離をステレオ方式で特定するための撮像情報を生成する。撮像部１５Ａおよび撮像部１５Ｂは、撮像した指示体７，９から反射される光を受光する撮像素子（ＣＭＯＳやＣＣＤなど）、撮像素子に像を結像する光学系、撮像素子へ入射する光を制限する絞りなどを備えている。撮像部１５Ａおよび撮像部１５Ｂは、スクリーンＳＣを含む範囲を撮像範囲とし、それぞれが撮像した範囲の撮像データを生成し、生成した撮像データを含む撮像情報を、後述する撮像画像解析部５１へ出力する。撮像部１５は、サンプリング周期毎に撮像情報を取得し、撮像画像解析部５１へ出力する。撮像画像解析部５１側では、サンプリング周期毎に取得した複数の時系列に連続した撮像情報に基づいて指示体７，９の動きの情報（動的情報）を解析する。サンプリング周期は、例えば、１６．７ｍｓｅｃ周期（サンプリング周波数６０Ｈｚ）に設定され、その場合では撮像情報が毎秒６０回出力される。
尚、撮像部１５は、レーザー光を照射する照射部１７を備え、照射されたレーザー光が指示体７，９により反射された反射光を撮像素子により受光する構成であってもよい。レーザー光をスクリーンＳＣの投写面と平行面に照射し、ステレオ方式により反射光を受光することにより、指示体７，９の位置情報を抽出することができる撮像データを生成する。
【００３６】
映像処理部３１は、制御部５０（描画処理部６１）および通信部３３から供給される画像データから映像信号を生成し、投写部２０へ供給する。
映像処理部３１では、記憶部４０に格納されたプロジェクター３の各種設定の表示、設定を行うＯＳＤ（On Screen Display）用画像データなどを取得し、描画モードやＰＣモードの画像データなどにＯＳＤ用画像データが重畳された画像データを生成する機能も有している。また、通信部３３から画像データ以外の各種映像信号が入力された場合は、それぞれの映像信号に対応した変換処理および画像処理を施し、投写する映像の画質を調整して投写部２０の駆動回路２７へ出力する。
【００３７】
投写部２０は、光源２１、ライトバルブ２３、駆動回路２７および投写光学系２５を有し、映像処理部３１から供給された映像を投写する。光源２１は、光を発するランプであり、光源２１が発した光は、複数のダイクロイックミラーやミラー（図示は省略）によって赤、緑、青の光に分光され、分光された赤、緑、青のそれぞれの光はライトバルブ２３に導かれる。なお、光源２１は、ランプではなく、発光ダイオード又はレーザー光を発する半導体レーザー装置であってもよい。
【００３８】
駆動回路２７は、映像処理部３１から供給される映像信号を取得する。駆動回路２７に供給される映像信号は、投写する画像における赤の成分の階調を表す階調データ、投写する画像における緑の成分の階調を表す階調データおよび投写する画像における青の成分の階調を表す階調データを有する。駆動回路２７は、赤、緑、青の各色の階調データを抽出し、抽出した各色の階調データに基づいてライトバルブ２３を駆動する。
【００３９】
ライトバルブ２３は、赤の光が入射する液晶ライトバルブ、緑の光が入射する液晶ライトバルブ、青の光が入射する液晶ライトバルブを有している。液晶ライトバルブは、透過型の液晶パネルであり、複数行複数列でマトリックス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路２７によって各画素が制御されて画素の透過率が変化する。画素の透過率が制御されることにより、液晶ライトバルブを透過した各色の光は、各階調データに対応した画像となる。液晶ライトバルブを透過した赤、緑、青の光の画像は、ダイクロイックプリズムにより合成されて投写光学系２５に入射する。投写光学系２５は、入射した画像を拡大する光学系であり、入射した画像をレンズやミラーによって拡大してスクリーンＳＣに投写する。スクリーンＳＣに画像が投写されると、表示面であるスクリーンＳＣに画像が表示される。なお、透過型の液晶パネルの替わりに反射型の液晶パネルを採用してもよいし、デジタルミラーデバイスなどを用いてもよい。
【００４０】
通信部３３は、Ｖｉｄｅｏ端子、Ｓ端子、３ＲＣＡ端子、Ｄ−Ｓｕｂ端子、ＨＤＭＩ（登録商標）（High-Definition Multimedia Interface）端子など、映像信号が供給されるコネクターを複数有し、ＰＣ５などの外部装置から通信６を介してコネクターに供給された映像信号を映像処理部３１へ出力する。また、通信部３３は、無線ＬＡＮ（Local Area Network）やＢｌｕｅｔｏｏｔｈ（登録商標）などの無線通信のアダプターや、ＵＳＢ（Universal Serial Bus）や有線のＬＡＮなどの有線通信のアダプターを有する。通信部３３は、これらのアダプターで使用されるＩＰ（Internet Protocol）やＵＳＢなどの通信プロトコルを備え、ＰＣ５などの外部装置と共通の通信プロトコルを選択して、通信６を介して各種信号、画像データ、指示体７，９の位置情報を含む各種データの送受信を行う。
【００４１】
記憶部４０は、ＲＯＭ（Read Only Memory）やフラッシュＲＯＭ、ＲＡＭ（Random Access Memory）、ＶｉｄｅｏＲＡＭ、ＨＤＤ（Hard Disk Drive）、ＳＳＤ（Solid State Drive）等の記憶装置によって構成され、第１パターンとしてのパターンＡ条件データ４１、第２パターンとしてのパターンＢ条件データ４３、第３パターンとしてのパターンＣ条件データ４５などが格納されている。また、記憶部４０は、描画モードにおいて描画状態を記憶するワークエリアとして描画領域４７を有している。これら以外に、制御部５０の機能部を実現するためのプログラムや一時的に保存される変数のデータなどが格納されている。
【００４２】
次に、図３Ａ〜Ｃを用いてパターンＡ条件データ４１、パターンＢ条件データ４３、パターンＣ条件データ４５について説明する。
図３Ａ〜Ｃは、それぞれ指示体の動きのパターンを例示する図である。図３Ａ〜Ｃでは、表示領域ＤＳが示されている。表示領域ＤＳは、図１に示したスクリーンＳＣの表示面に投写される投写映像の矩形形状の領域を示している。表示領域ＤＳは、スクリーンＳＣの左上隅の点ＬＴに最も近い矩形の頂点の座標を（０，０）として、その対頂点の座標を（Ｘｍａｘ，Ｙｍａｘ）とした領域である。座標の最大値である（Ｘｍａｘ，Ｙｍａｘ）は、ＰＣの画面解像度のピクセル数に応じて決定され、例えばＷＸＧＡ（Wide eXtended Graphics Array）であれば（１２８０，８００）または（１２８０，７６８）といった値が適用される。
また、図３Ａおよび図３Ｂに示すパターンは、指示体７の動きのパターンを判定するための例であり、指示体７を検出した開始点を始点Ｓ、検出状態が継続し、非検出となった点を終点Ｅとして説明する。図３Ｃに示すパターンは、指示体９の動きのパターンを判定するための例である。指示体９を検出した開始点を始点Ｓ、検出状態が継続している状態の点を経過点Ｍとして説明する。
また、以下の条件で、指示体７，９が移動した長さが単位ｃｍ（センチメートル）で記載されている。これは、撮像部１５によって撮像されたスクリーンＳＣおよび表示領域ＤＳの四隅との位置関係から、表示領域ＤＳの矩形の辺の長さが求まり、座標（０，０）〜座標（Ｘｍａｘ，Ｙｍａｘ）との対比により、表示領域ＤＳ上の各座標に対応する実際の長さを算出することができる。このような位置関係は、例えば、スクリーンＳＣに印された特定のパターンを撮像部１５で撮像した結果から算出されてもよい。なお、スクリーンＳＣの四隅の長さ（ｃｍ）や特定のパターン間の長さ（ｃｍ）は、予め記憶部４０などに格納されている。また、指示体７，９が移動した長さ（ｃｍ）を算出する方法はこのような方法に限定されず、例えば、指示体７，９に加速度センサー等を備え、出力された加速度信号を積分して移動距離を測定する方法であってもよい。
以下に示す条件のｔｉｍｅ（Ｘ，Ｙ）は、指示体７，９が（Ｘ，Ｙ）の座標を検出した時刻であることを表している。なお、時刻は０．１秒（ｓｅｃ）単位で検出される。
【００４３】
図３Ａに示すパターンＡ条件データ４１には、条件Ａ１〜Ａ３が格納されている。
条件Ａ１は、「５ｃｍ  ＜  Ｘ２−Ｘ１  ＜  １５ｃｍ」。
条件Ａ２は、「｜Ｙ２−Ｙ１｜  ＜  ５ｃｍ」。
条件Ａ３は、「ｔｉｍｅ（Ｘ２，Ｙ２）−ｔｉｍｅ（Ｘ１，Ｙ１）  ＜  １．０ｓｅｃ」。
【００４４】
パターンＡ条件データ４１は、指示体７の動きのパターンを判定する条件である。始点Ｓを座標（Ｘ１，Ｙ１）とし、終点Ｅを座標（Ｘ２，Ｙ２）としている。
条件Ａ１は、始点Ｓの座標（Ｘ１，Ｙ１）から終点Ｅの座標（Ｘ２，Ｙ２）までのＸ方向の長さが５ｃｍ超１５ｃｍ未満の条件である。条件Ａ２は、始点Ｓから終点ＥまでのＹ方向の差が５ｃｍ未満の条件である。条件Ａ１および条件Ａ２では、指示体７は、左から右方向に５ｃｍ超１５ｃｍ未満の長さで、上下は差が５ｃｍ未満で動かされた場合に条件Ａ１および条件Ａ２の条件が満たされることを示している。
条件Ａ３は、始点Ｓから終点Ｅまでの時間が１秒未満であるという条件である。つまり、指示体７を１秒未満の比較的早い操作で動かすことを示している。
この条件は、ユーザーＵにわかりやすい簡単な文章で表すと、「指示体７を左から右へ１０ｃｍ程度すばやくスライドさせる」という表現になる。
【００４５】
図３Ｂに示すパターンＢ条件データ４３には、条件Ｂ１〜Ｂ３が格納されている。
条件Ｂ１は、「５ｃｍ  ＜  Ｘ１−Ｘ２  ＜  １５ｃｍ」。
条件Ｂ２は、「｜Ｙ２−Ｙ１｜  ＜  ５ｃｍ」。
条件Ｂ３は、「ｔｉｍｅ（Ｘ２，Ｙ２）−ｔｉｍｅ（Ｘ１，Ｙ１）  ＜  １．０ｓｅｃ」。
【００４６】
パターンＢ条件データ４３は、指示体７の動きのパターンを判定する条件である。始点Ｓを座標（Ｘ１，Ｙ１）とし、終点Ｅを座標（Ｘ２，Ｙ２）としている。
条件Ｂ１は、始点Ｓの座標（Ｘ１，Ｙ１）から終点Ｅの座標（Ｘ２，Ｙ２）までのＸ方向の長さが５ｃｍ超１５ｃｍ未満であるという条件である。また、条件Ａ１では、上述したように「Ｘ２−Ｘ１」が正値である５ｃｍ超１５ｃｍ未満であったのに対し、条件Ｂ１では、「Ｘ１−Ｘ２」が正値である５ｃｍ超１５ｃｍ未満であることから、始点Ｓが終点Ｅよりも右方向に位置し、その距離が５ｃｍ超１５ｃｍ未満であるという条件である。つまり、指示体７を、「右から左方向へスライドさせる」という条件になる。
条件Ｂ２は、条件Ａ２と同様に、始点Ｓから終点ＥまでのＹ方向の差が５ｃｍ未満の条件である。条件Ｂ３についても、条件Ａ３と同様であり、始点Ｓから終点Ｅまでの時間が１秒未満であるという条件である。
この条件は、ユーザーＵにわかりやすい簡単な文章で表すと、「指示体７を右から左へ１０ｃｍ程度すばやくスライドさせる」という表現になる。
【００４７】
図３Ｃに示すパターンＣ条件データ４５には、条件Ｃ１〜Ｃ４が格納されている。
条件Ｃ１は、「｜Ｘ３−Ｘ４｜  ＜  １ｃｍ」。
条件Ｃ２は、「｜Ｙ３−Ｙ４｜  ＜  １ｃｍ」。
条件Ｃ３は、「ｔｉｍｅ（Ｘ４，Ｙ４）−ｔｉｍｅ（Ｘ３，Ｙ３）  ≧  １．０ｓｅｃ」。
条件Ｃ４は、「ｔｉｍｅ（Ｘ３，Ｙ３）  ＜  ｔｉｍｅ（Ｘ１，Ｙ１）  ＜  ｔｉｍｅ（Ｘ２，Ｙ２）  ＜  ｔｉｍｅ（Ｘ４，Ｙ４）」
【００４８】
パターンＣ条件データ４５は、指示体９の動きのパターンを判定する条件である。始点Ｓを座標（Ｘ３，Ｙ３）とし、経過点Ｍを座標（Ｘ４，Ｙ４）としている。経過点Ｍは、始点Ｓの状態から検出状態が継続されている点であることを示している。
条件Ｃ１および条件Ｃ２は、始点Ｓから経過点Ｍの位置がＸ方向およびＹ方向において１ｃｍ以内の動きであることを判定するための条件である。つまり、指示体９は、始点Ｓから経過点Ｍまでの間、動きが少ないことを表している。
条件Ｃ３は、始点Ｓから経過点Ｍまでの時間が１秒以上経過していることを示している。つまり、指示体９は、始点Ｓおよび経過点Ｍまでの間、動きの少ない状態で１秒以上経過している。この条件は、ユーザーＵにわかりやすい簡単な文章で表すと、「指示体９をスクリーンＳＣに置いた（タッチした）状態のまま維持する」という表現になる。
条件Ｃ４は、条件Ａ１〜Ａ３および条件Ｂ１〜Ｂ３の条件で用いられた指示体７の始点Ｓの座標（Ｘ１，Ｙ１）、時刻ｔｉｍｅ（Ｘ１，Ｙ１）、および終点Ｅの座標（Ｘ２，Ｙ２）、時刻ｔｉｍｅ（Ｘ２，Ｙ２）情報の情報が用いられている条件である。
条件Ｃ４は、指示体９の始点Ｓが検出された時刻の後に、指示体７による始点Ｓの時刻、その後で終点Ｅの時刻が検出され、その後で、指示体９の経過点Ｍの時刻となっている条件である。
つまり、指示体９をスクリーンＳＣにおいた状態を維持したまま、指示体７を左から右、または右から左にスライドさせる（スライドを終わらせる）、という動きを識別する条件である。
【００４９】
（制御部）
図２に戻り、制御部５０について説明する。
制御部５０は、ＣＰＵ（Central Processing Unit）等のプロセッサーを有して構成され、記憶部４０に記憶されているプログラムを含む各種プログラム（図示は省略）に従ってプロジェクター３を構成する操作部１１、計時部１３、撮像部１５、投写部２０、映像処理部３１、通信部３３、および記憶部４０などの各部を制御する。
制御部５０は、撮像画像解析部５１、位置情報抽出部５３、動的情報抽出部５５、切替え制御部５７、描画処理部６１、および送信処理部６３を機能部として有している。但し、これらの機能部は、一実施例として記載したものに過ぎず、必ずしも全ての機能部および構成を必須構成としなくとも良い。また、これら以外の機能部を必須構成としても良い。
【００５０】
撮像画像解析部５１は、撮像部１５（撮像部１５Ａおよび撮像部１５Ｂ）から取得した撮像情報を解析する。撮像画像解析部５１では、撮像情報に含まれる指示体７，９を時系列に連続して撮像された撮像データを解析して、指示体７，９の位置およびスクリーンＳＣからの距離と、指示体７，９の動的情報とを出力する。撮像画像解析部５１は、位置情報抽出部５３および動的情報抽出部５５などで構成されている。
【００５１】
位置情報抽出部５３は、撮像部１５において生成された撮像データを含む撮像情報に基づいて、指示体７，９の位置およびスクリーンＳＣからの距離の情報を抽出する。撮像部１５Ａおよび撮像部１５Ｂのそれぞれから同時刻に撮像された撮像データを取得し、指示体７，９の位置およびスクリーンＳＣからの距離を算出する。指示体７，９の位置としては、表示領域ＤＳ（図３Ａ〜Ｃ）上の座標値が出力される。スクリーンＳＣからの距離は、長さ（例えば、単位はｍｍ／ミリメートル）が出力される。位置情報抽出部５３では、指示体７，９とスクリーンＳＣとの距離が、所定距離（例えば、５ｍｍ）以内になった場合に、指示体７，９の位置、およびその距離を出力してもよい。
なお、撮像データから指示体７，９を認識（識別）する方法は、公知の画像認識手法、形状認識手法が用いられ、位置の算出においては公知のステレオ方式により３次元空間における位置算出手法が用いられている。指示体７または指示体９の認識は、それぞれの形状や色などを形状や色の特徴点を用いてパターンマッチング等によりそれぞれを追尾して認識してもよい。また、スクリーンＳＣに近接する物体が１つの場合は、指示体７として認識し、その状態で追加で認識された物体を指示体９として認識してもよい。
【００５２】
動的情報抽出部５５は、撮像部１５Ａおよび撮像部１５Ｂから取得したサンプリング周期毎に生成された撮像データを含む撮像情報から、指示体７，９の動きの情報である動的情報を算出（抽出）する。動的情報抽出部５５では、位置情報抽出部５３においてスクリーンＳＣの投写面からの距離が、上述した所定距離（例えば、５ｍｍ）または更に短い距離（例えば、３ｍｍ）以内になった場合に、動的情報の解析を開始する。動的情報抽出部５５では、スクリーンＳＣからの距離が所定距離以内に入った位置（始点Ｓ）と所定距離から出た位置（終点Ｅ）、および所定距離内における指示体７，９の位置（経過点Ｍ）、移動速度、移動量、移動軌跡などの動的情報を、時系列に連続して撮像された複数の撮像データから抽出する。
【００５３】
切替え制御部５７は、指示体７，９の動的情報に所定のパターンが含まれているか否か判定し、含まれている場合は、描画モードとＰＣモードとを切り替える機能を有する。具体的には、所定のパターンとして、指示体７によるパターンＡ条件データ４１のパターンと、指示体９によるパターンＣ条件データ４５のパターンと、を組み合わせたパターンが含まれていると判定した場合は、描画モードからＰＣモードへ切り替える。また、指示体７によるパターンＢ条件データ４３のパターンと、指示体９によるパターンＣ条件データ４５のパターンと、を組み合わせたパターンが含まれていると判定した場合は、ＰＣモードから描画モードへ切り替える。
切替え制御部５７では、描画モードからＰＣモードへ切り替えた場合は、送信処理部６３の機能を実現させる。具体的には、ＰＣモードでは、送信処理部６３が、位置情報抽出部５３から指示体７，９の位置情報を取得し、動的情報抽出部５５から指示体７，９の動的情報を取得する。また、送信処理部６３は、取得した指示体７，９の位置情報および動的情報を、通信部３３を介してＰＣ５へ送信する。
切替え制御部５７では、ＰＣモードから描画モードへ切り替えた場合は、描画処理部６１の機能を実現させる。具体的には、描画処理部６１が位置情報抽出部５３から指示体７，９の位置情報を取得し、動的情報抽出部５５から指示体７，９の動的情報を取得する。そして、取得した指示体７，９の位置情報を基に線などを描画する。
【００５４】
描画処理部６１は、指示体７，９が指し示すスクリーンＳＣ上の投写位置に線などを描画する。描画処理部６１は、描画状態を記憶するワークエリアとして描画領域４７（記憶部４０）を利用する。描画領域４７には、スクリーンＳＣ上に投写される表示領域ＤＳの各座標に対応する描画データの情報が一時的に記憶される。
描画処理部６１では、位置情報抽出部５３から指示体７，９の位置およびスクリーンＳＣの投写面からの距離を取得し、距離が所定距離（例えば、５ｍｍ）以内になった場合に、指示体７，９の位置に対応する描画領域４７（記憶部４０）の対応する座標値に描画データを書き込む。描画処理部６１は、描画領域４７の情報を画像データとして映像処理部３１へ出力する。
また、描画処理部６１では、描画時の属性情報を記憶している。属性情報は、描画時に描かれる線の種類（実線、点線、波線など）や描かれる線の色や太さ、また、図形の描画など、の情報が含まれている。描画処理部６１では、切替え制御部５７により呼び出されると、記憶している属性情報を読み出して、取得した指示体７，９の位置にその属性情報を適用して描画する。
【００５５】
送信処理部６３は、通信部３３を介してＰＣ５と通信を確立し、ＰＣ５へコマンドを送信する。また、送信処理部６３は、ＰＣモードである時に、指示体７，９の位置情報を通信部３３を介してＰＣ５へ送信する。コマンドには、プロジェクター３がＰＣモードに移行されたことを通知するためのコマンドが含まれる。ＰＣ５側では、当該コマンドを受信すると、以降に通信部３３から送信されるはずである指示体７，９の位置情報を待つ。送信処理部６３では、位置情報抽出部５３から指示体７，９の位置およびスクリーンＳＣの投写面からの距離を取得し、距離が所定距離（例えば、５ｍｍ）以内になった場合に、指示体７，９の位置をＰＣ５へ送信する。ＰＣ５側では、指示体７，９の位置を取得すると、当該位置をマウスなどポインティングデバイスの位置として入力する。
また、送信処理部６３は、指示体７，９の位置と共に付帯情報を送信してもよい。付帯情報は、マウスの左ボタンクリックや右ボタンクリックといったポインティングデバイスの操作を識別するためのコマンドである。そのようなコマンドは、指示体７，９の操作に対応付けられており、例えば、指示体７をスクリーンＳＣに対して１回ノックすると左ボタンクリック、２回ノックすると右ボタンクリックなどに対応するようなコマンドである。
【００５６】
（投写切り替え処理）
図４は、投写切り替え処理の流れを示すフローチャート図である。本フローは、記憶部４０に格納されているプログラム（図示は省略）に基づいて、制御部５０が、撮像部１５、映像処理部３１、通信部３３などの各部を制御することにより実行される処理である。なお、本フローは表示制御方法に相当する。
【００５７】
ステップＳ１００では、指示体７，９を撮像する。撮像部１５へ電源およびクロックを供給し、撮像部１５による撮像を開始（継続）する。撮像が開始されると、サンプリング周期毎に撮像データが生成される。本ステップは、撮像工程に相当する。
【００５８】
ステップＳ１１０では、撮像データを取得する。撮像部１５Ａおよび撮像部１５Ｂから出力された撮像データを取得する。
【００５９】
ステップＳ１２０では、指示体７，９の位置情報を取得する。詳しくは、撮像データから指示体７，９を認識（識別）し、指示体７，９の位置およびスクリーンＳＣからの距離を抽出する。本ステップは、位置情報抽出工程に相当する。
【００６０】
ステップＳ１３０では、指示体７，９の動的情報を取得する。詳しくは、ステップＳ１２０においてサンプリング周期毎に連続して取得した複数の位置情報を用いて、指示体７，９がスクリーンＳＣへ接近した（所定距離以内に入った）位置と、所定距離から出た位置、および所定距離内における指示体７，９の移動速度、移動量、移動軌跡など、の動的情報を取得する。本ステップは、動的情報抽出工程に相当する。
【００６１】
ステップＳ１４０では、動的情報をパターンと比較する。詳しくは、指示体７，９の動的情報を、記憶部４０に格納されているパターンＡ条件データ４１、パターンＢ条件データ４３、およびパターンＣ条件データ４５と比較する。
【００６２】
ステップＳ１５０では、動的情報にパターンが含まれているか否か判定する。具体的には、指示体７，９の動的情報に、パターンＡ条件データ４１およびパターンＣ条件データ４５が含まれている場合は（判定Ａ）、ステップＳ１６０へ進む。指示体７，９の動的情報に、パターンＢ条件データ４３およびパターンＣ条件データ４５が含まれている場合は（判定Ｂ）、ステップＳ１８０へ進む。指示体７，９の動的情報が、判定Ａの条件も判定Ｂの条件も満たしていない場合（判定Ｃ）、ステップＳ２００へ進む。本ステップは、切替え制御工程に相当する。
【００６３】
ステップＳ１６０では、位置情報をＰＣ５へ送信する。詳しくは、ＰＣモードに移行することを通信するコマンドと、ステップＳ１２０で取得した指示体７，９の位置情報をＰＣ５へ送信する。本ステップは、位置情報を外部装置へ送信する第２モードの処理に相当する。
【００６４】
ステップＳ１７０では、ＰＣ５から受信した映像信号を投写する。詳しくは、ＰＣ５から出力された映像信号を投写部２０へ出力する。映像がスクリーンＳＣに投写される。
【００６５】
ステップＳ１８０では、位置情報を用いて描画し画像を生成する。詳しくは、ステップＳ１２０で取得した指示体７，９の位置に対応する描画領域４７（記憶部４０）の座標に描画用データを書き込む。本ステップは、位置情報を用いて描画処理を行う第１モードの処理に相当する。
【００６６】
ステップＳ１９０では、生成した画像の映像信号を投写する。詳しくは、描画用データが書き込まれた画像データの映像信号を生成し、投写部２０へ出力する。映像がスクリーンＳＣに投写される。ステップＳ１７０およびステップＳ１９０は、投写工程に相当する。
【００６７】
ステップＳ２００では、投写処理が終了したか否か判定する。投写処理が終了した場合は（Ｙｅｓ）、本フローを終了し、投写処理が終了していない場合は（Ｎｏ）、ステップＳ１００へ処理を移し、指示体７，９の撮像から繰り返す。
【００６８】
このようにして、ステップＳ１３０で取得した指示体７，９の動的情報を、ステップＳ１４０で、パターンＡ条件データ４１、パターンＢ条件データ４３、およびパターンＣ条件データ４５と比較する。ステップＳ１５０によって、判定Ａと判定された場合は、ＰＣモードに切り替え、判定Ｂと判定された場合は描画モードに切り替える。プロジェクター３により投写処理が実行されている間は、ステップＳ１００からＳ２００までの処理が、繰り返されている。
【００６９】
以上述べたように、本実施形態に係わる表示システム１によれば、以下の効果を得ることができる。
撮像部１５では、指示体７，９の位置情報と動的情報とを含む撮像データを生成する。位置情報抽出部５３および動的情報抽出部５５では、撮像データから指示体７，９の位置情報と、動きの情報を含む動的情報を抽出する。切替え制御部５７は、指示体７の動的情報にパターンＡ条件データ４１が含まれ、指示体９の動的情報にパターンＣ条件データ４５が含まれている場合は、プロジェクター３の内部状態をＰＣモードへ切り替えている。また、描画モードへの切り替えは、指示体７の動的情報にパターンＢ条件データ４３が含まれ、指示体９の動的情報にパターンＣ条件データ４５が含まれている場合に実現される。パターンＡ条件データ４１およびパターンＢ条件データ４３は、共に指示体７をスクリーンＳＣ上でスライドさせるという簡単な動きだけの操作である。
従来の方法では、ユーザーＵは、描画モードとＰＣモードとの切り替えをするために、プレゼンテーションの途中で、ツールバーを表示して切替えボタンの位置まで移動してそのボタンを押す操作が必要であったが、本実施形態によって、指示体による位置の指定をする必要がなく、指示体７と指示体９の簡単な動きだけの操作の組み合わせにより、描画モードとＰＣモードとの切り替えをすることができる。
従って、ユーザーの説明作業を極力妨げることがなく、描画モードとＰＣモードとの切り替えを容易に行うことができる。
また、指示体９におけるパターンＣ条件データ４５も容易な操作である。このような指示体７や指示体９が仮に組み合わせではなく単体の指示体の操作だけで切り替わるとすると、描画モードやＰＣモードでは、単体の指示体の操作をそれぞれのモードにおける機能が実現と誤判断してしまう虞がある。指示体７と指示体９との操作と組み合わせることによりそれぞれのモードにおける機能を実現しないで、モードの切り替えをすることができる。
【００７０】
なお、本発明は上述した実施形態に限定されず、上述した実施形態に種々の変更や改良などを加えることが可能である。変形例を以下に述べる。
【００７１】
（変形例１）
上述の実施形態では、指示体７および指示体９の動的情報の組み合わせをパターンＡ条件データ４１およびパターンＣ条件データ４５、パターンＢ条件データ４３およびパターンＣ条件データ４５と比較したが、この構成に限定されない。指示体は、１つであっても、３つ以上の指示体であっても良い。例えば、切替え制御部５７は、指示体７の動的情報だけで、パターンＡ条件データ４１が含まれていると判定した場合に、描画モードからＰＣモードへ切り替え、パターンＢ条件データ４３が含まれていると判定した場合に、ＰＣモードから描画モードへ切り替えてもよい。また、切替え制御部５７は、指示体７の動的情報が、一つのパターン、例えばパターンＡ条件データ４１が含まれていると判定した場合に、描画モードとＰＣモードとの双方向に対する切り替えを行ってもよい。
なお、パターンＡ条件データ４１やパターンＢ条件データ４３は、「指示体７を右から左へ１０ｃｍ程度すばやくスライドさせる」といった簡単な操作に限定されず、もう少し複雑な操作であっても良い。例えば、「指示体７をスクリーンＳＣに３回ノックする」といった操作であってもよい。このような操作であれば、描画モードにおける描画や、ＰＣモードにおけるマウス操作などと明確に区別して、モードの切り替えを判定することができる。
【００７２】
（変形例２）
上述の実施形態および変形例では、指示体７がペン型をした指示棒であり、指示体９がユーザーＵの指先であるとしているが、このような構成に限定されない。指示体７および指示体９は、撮像部１５により撮像されることができればどのような形状、色、大きさ、材料、材質であってもよい。また、指示体は、赤外線やレーザー光を出射する機構を有したペン型装置であってもよい。また、指示体を識別するマーキングなどが記されていてもよい。
【００７３】
（変形例３）
上述の実施形態および変形例では、撮像部１５は、撮像部１５Ａと撮像部１５Ｂの１対の撮像素子を備えるとしているが、撮像素子は１つであってもよい。また、３つ以上あってもよい。撮像素子が１つの場合は、指示体に赤外線やレーザー光を出射する機構を備えること、または、指示体に固定サイズのマーキングなどを記すことで、スクリーンＳＣ上の指示体の位置情報を取得することができる。
【００７４】
（変形例４）
上述の実施形態および変形例では、指示体の動的情報を判定するパターンが予め記憶部４０に記憶されているとしたが、そのような構成に限定されない。パターンは、学習機能によって決められてもよい。例えば、ユーザーＵに指示体７を操作させて、その操作の動的情報を学習して、パターンを決定してもよい。このような構成によれば、モードの切り替えをする動的情報のパターンのバリエーションを増やすことができる。また、利き手が異なるユーザーＵに合わせたパターンを設定することができる。
【００７５】
（変形例５）
上述の実施形態および変形例の構成に、描画処理を取り消す機能、および送信処理を取り消す機能を有した機能部が加えられていてもよい。これらの機能部は、動的情報抽出部５５による動的情報の抽出の遅れや、切替え制御部５７の処理の遅れによる原因等で、切替え制御部５７による判定結果が出る前に、描画処理部６１または送信処理部６３へ指示体７，９の位置情報を出力してしまった場合に、出力した位置情報を取り消す機能部である。このような遅れは、例えば、指示体７，９などの動的情報を判定するパターンが複雑になったり、パターンが長い時間を要するような場合に生じる虞がある。このような状況で、描画処理部６１や送信処理部６３へ位置情報が出力されてしまった場合であっても、取り消す機能部を実行させることで、取消すことができる。
【符号の説明】
【００７６】
１…表示システム、３…プロジェクター、５…ＰＣ、６…通信、７，９…指示体、１１…操作部、１３…計時部、１５，１５Ａ，１５Ｂ…撮像部、１７…照射部、２０…投写部、２１…光源、２３…ライトバルブ、２５…投写光学系、２７…駆動回路、３１…映像処理部、３３…通信部、４０…記憶部、４１…パターンＡ条件データ、４３…パターンＢ条件データ、４５…パターンＣ条件データ、４７…描画領域、５０…制御部、５１…撮像画像解析部、５３…位置情報抽出部、５５…動的情報抽出部、５７…切替え制御部、６１…描画処理部、６３…送信処理部。
【図１】
2017139515.tif 000003
【図２】
2017139515.tif 000004
【図３Ａ】
2017139515.tif 000005
【図３Ｂ】
2017139515.tif 000006
【図３Ｃ】
2017139515.tif 000007
【図４】
2017139515.tif 000008